(57)【要約】【課題】大型化を抑制しつつ多くの液体が貯留可能であり且つ強度が強いタンクを有する液体消費装置を提供する。【解決手段】複合機１０は、インク室１１１を有するインクタンク１００と、インクタンク１００に貯留されたインクを消費する記録ヘッド３９とを備える。インクタンク１００は、左右方向９に延びてインク室１１１を区画するとともに、インク室１１１にインクを注入する注入口１１２を有する第１面（前壁１０１の後面１０１Ｂ）と、前後方向８へ延出されており、インク室１１１を区画する一対の第２面と、を備える。一対の第２面は、それぞれ少なくとも一部がフィルム１４２、１４３で構成されている。一対の第２面のうち左方の第２面における第１面から前後方向８に沿った第１長さＬ１の第１領域は、フィルム１４２、１４３より剛性の高い左壁１０３で構成されている。【選択図】図１２
2017177779.tif 000002
【特許請求の範囲】
【請求項１】
液体貯留室を有するタンクと、
上記タンクに貯留された液体を消費する液体消費部と、を備え、
上記タンクは、
第１方向に延びて上記液体貯留室を区画するとともに、上記液体貯留室に液体を注入する液体注入口を有する第１面と、
上記第１面と交差する第２方向へ延出されており、上記液体貯留室を区画する一対の第２面と、を備え、
上記一対の第２面は、それぞれ少なくとも一部がフィルムで構成されており、
上記一対の第２面の少なくとも一方における上記第１面から上記第２方向に沿った第１長さの第１領域は、上記フィルムより剛性の高い壁で構成されている液体消費装置。
【請求項２】
上記フィルムで構成されている上記第２面の第２領域は、上記液体消費装置の外部に露出していない請求項１に記載の液体消費装置。
【請求項３】
上記第１領域の少なくとも一部は、上記液体消費装置の外部に露出している請求項１または２に記載の液体消費装置。
【請求項４】
上記タンクは、上記第１方向に沿って複数並んだ状態で上記液体消費装置に据え置かれており、
複数の上記タンクのうち上記第１方向の両端側に位置するタンクは、それぞれ最も外側の上記第２面に上記第１領域を備える請求項１から３のいずれかに記載の液体消費装置。
【請求項５】
上記第２方向における上記液体注入口の長さは、上記第１領域の上記第１長さよりも短い請求項１から４のいずれかに記載の液体消費装置。
【請求項６】
上記第１方向は、上記液体貯留室に上記液体注入口から液体を注入する上記タンクの注入姿勢における水平方向であり、
上記第２方向は、上記注入姿勢における鉛直方向及び上記第１方向に直交する方向であり、
上記第１面は、上記第１方向に沿う方向に延び、且つ上記第２方向と交差する傾斜面を有しており、
上記液体注入口は、上記傾斜面に設けられている請求項１から５のいずれかに記載の液体消費装置。
【請求項７】
上記第１面は、上記注入姿勢における鉛直方向に沿う鉛直面を更に備え、
上記鉛直面には上記液体貯留室内の液体の量を表示する表示面が設けられている請求項１から６のいずれかに記載の液体消費装置。
【請求項８】
上記表示面には、リブが設けられていない請求項７に記載の液体消費装置。
【発明の詳細な説明】
【技術分野】
【０００１】
本発明は、液体注入口を通じて液体を補充可能なタンクが据え置かれた液体消費装置に関する。
【背景技術】
【０００２】
インクを補充可能なタンクと、当該タンクから供給されたインクをノズルから吐出して用紙に画像を記録する記録ヘッドとを有するプリンタが知られている（例えば、特許文献１参照）。タンク内のインクが消費されると、使用者はタンクの液体注入口からボトルに貯留されたインクを補充可能である。
【先行技術文献】
【特許文献】
【０００３】
【特許文献１】特開２０１２−５１３０６号公報
【発明の概要】
【発明が解決しようとする課題】
【０００４】
タンクには、できるだけ多くのインクが貯留されることが望ましい。その一方で、タンクの占有空間は、できるだけ小さいことが望ましい。また、タンクが破損すると内部に貯留されたインクが漏れ出るため、タンクの強度は強く構成されることが望ましい。
【０００５】
本発明は、前述された事情に鑑みてなされたものであり、その目的は、大型化を抑制しつつ多くの液体が貯留可能であり且つ強度が強いタンクを有する液体消費装置を提供することにある。
【課題を解決するための手段】
【０００６】
(1)  本発明に係る液体消費装置は、液体貯留室を有するタンクと、上記タンクに貯留された液体を消費する液体消費部と、を備える。上記タンクは、第１方向に延びて上記液体貯留室を区画するとともに、上記液体貯留室に液体を注入する液体注入口を有する第１面と、上記第１面と交差する第２方向へ延出されており、上記液体貯留室を区画する一対の第２面と、を備える。上記一対の第２面は、それぞれ少なくとも一部がフィルムで構成されている。上記一対の第２面の少なくとも一方における上記第１面から上記第２方向に沿った第１長さの第１領域は、上記フィルムより剛性の高い壁で構成されている。
【０００７】
上記構成によれば、液体注入口を有する第１面が、フィルムより剛性の高い壁で構成された第２面の第１領域によって補強されている。これにより、タンクの強度を強くすることができる。
【０００８】
また、上記構成によれば、一対の第２面のそれぞれの少なくとも一部がフィルムで構成されることによって、タンクの大きさを大きくすることなく、液体貯留室に貯留される液体量を増やすことができる。
【０００９】
(2)  上記フィルムで構成されている上記第２面の上記第２領域は、上記液体消費装置の外部に露出していない。
【００１０】
フィルムが液体消費装置の外部に露出した場合、フィルムまたはフィルムが溶着された部分の壁がユーザーに触れられたり他の部材にぶつかったりすることによって、フィルムが破れたり、フィルムが壁から剥がれたりするおそれがある。フィルムの破れや剥がれが生じると、液体貯留室に貯留された液体が漏れ出てしまう。上記構成によれば、フィルムで構成された第２領域は液体消費装置の外部に露出していないため、上述したようなフィルムの破れや剥がれが生じる可能性を低くすることができる。
【００１１】
(3)  例えば、上記第１領域の少なくとも一部は、上記液体消費装置の外部に露出している。
【００１２】
(4)  上記タンクは、上記第１方向に沿って複数並んだ状態で上記液体消費装置に据え置かれている。複数の上記タンクのうち上記第１方向の両端側に位置するタンクは、それぞれ最も外側の上記第２面に上記第１領域を備える。
【００１３】
複数のタンクが第１方向に沿って複数並んだ状態で液体消費装置に据え置かれている場合、隣り合う２つのタンクに挟まれた部分は、液体消費装置の外部に露出しない。一方、複数のタンクの第１方向の両端側に位置するタンクのそれぞれ最も外側の面は、液体消費装置の外部に露出するおそれがある。上記構成では、複数のタンクのうち第１方向の両端側に位置するタンクは、それぞれ最も外側の第２面に第１領域を備える。つまり、液体消費装置の外部に露出するおそれのある部分が、フィルムより剛性の高い壁で構成されている。そのため、複数のタンクを適切に保護することができる。
【００１４】
(5)  上記第２方向における上記液体注入口の長さは、上記第１領域の上記第１長さよりも短い。
【００１５】
通常、液体注入口に液体が注入される際、ボトルの先端部が液体注入口に当接する。これにより、液体注入口が形成された第１面が撓むおそれがある。上記構成によれば、第１面のうち液体注入口が形成されている部分は、第２面によって補強されている。これにより、液体注入口に液体を注入する際に、第１面が撓みにくくすることができる。
【００１６】
(6)  上記第１方向は、上記液体貯留室に上記液体注入口から液体を注入する上記タンクの注入姿勢における水平方向である。上記第２方向は、上記注入姿勢における鉛直方向及び上記第１方向に直交する方向である。上記第１面は、上記第１方向に沿う方向に延び、且つ上記第２方向と交差する傾斜面を有している。上記液体注入口は、上記傾斜面に設けられている。
【００１７】
上記構成によれば、液体注入口は、斜め上方を向いている。そのため、液体注入口に液体が注入される際に、液体が貯留されたボトルを液体注入口に差し込みやすい。
【００１８】
(7)  上記第１面は、上記注入姿勢における鉛直方向に沿う鉛直面を更に備える。上記鉛直面には上記液体貯留室内の液体の量を表示する表示面が設けられている。
【００１９】
上記構成によれば、液体注入口からタンクの内部を覗かなくても、液体貯留室内の液体の量を外部から判別可能である。
【００２０】
(8)  上記表示面には、リブが設けられていない
【００２１】
上記構成によれば、液体貯留室内の液体の量の外部からの判別が、リブによって阻害されることがない。
【発明の効果】
【００２２】
本発明によれば、大型化を抑制しつつ多くの液体が貯留可能であり且つ強度が強いタンクを有する液体消費装置を提供することができる。
【図面の簡単な説明】
【００２３】
【図１】図１は、複合機１０の外観斜視図であって、（Ａ）はカバー７０が閉位置である状態、（Ｂ）はカバー７０が開位置である状態を示す。
【図２】図２は、プリンタ部１１の内部構造を模式的に示す縦断面図である。
【図３】図３は、キャリッジ２３及びタンクセット９９の配置を示す平面図である。
【図４】図４は、インクタンク１００の前方斜視図である。
【図５】図５は、インクタンク１００の後方斜視図である。
【図６】図６は、インクタンク１００の右側面図である。
【図７】図７は、インクタンク１００の左側面図である。
【図８】図８は、インクタンク１００Ｂの前方斜視図である。
【図９】図９は、インクタンク１００Ｂの後方斜視図である。
【図１０】図１０は、インクタンク１００Ｂの右側面図である。
【図１１】図１１は、インクタンク１００Ｂの左側面図である。
【図１２】図１２（Ａ）は、図６のＡ−Ａ断面の模式図であり、図１２（Ｂ）は、図１０のＢ−Ｂ断面の模式図である。
【図１３】図１３（Ａ）は、タンクセット９９を右前方から視た模式斜視図であり、図１３（Ｂ）は、タンクセット９９を左前方から視た模式斜視図である。
【発明を実施するための形態】
【００２４】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。換言すれば、向きは方向の一成分である。さらに、複合機１０及び複合機１０に据え付けられたインクタンク１００が使用可能に水平面に設置された姿勢（図１の姿勢であって、「使用姿勢」と表記することがある。）を基準として上下方向７が定義され、複合機１０の開口１３が設けられている面を前面として前後方向８が定義され、複合機１０を前面から見て左右方向９が定義される。本実施形態では、使用姿勢において、上下方向７が鉛直方向に相当し、前後方向８及び左右方向９が水平方向に相当する。
【００２５】
［複合機１０の全体構成］
図１に示されるように、複合機１０（液体消費装置の一例）は、概ね直方体形状である。複合機１０は、インクジェット記録方式で用紙１２（図２参照）に画像を記録するプリンタ部１１を下部に有している。プリンタ部１１は、前壁１４Ａに開口１３が形成された筐体１４を有している。図２に示されるように、筐体１４の内部には、給送部１５と、給送トレイ２０と、排出トレイ２１と、搬送ローラ部５４と、記録部２４と、排出ローラ部５５と、プラテン４２と、タンクセット９９とが配置されている。複合機１０は、ファクシミリ機能及びプリント機能などの各種の機能を有している。
【００２６】
［給送トレイ２０、排出トレイ２１］
図１に示されるように、給送トレイ２０は、開口１３を通じて前後方向８（第２方向の一例）に沿ってユーザによって複合機１０に対して挿抜される。開口１３は、複合機１０の前面で且つ左右方向９（第１方向の一例）の中央部に位置する。給送トレイ２０は、積層された複数の用紙１２を支持可能である。排出トレイ２１は、給送トレイ２０の上方に配置されており、給送トレイ２０と共に挿抜される。排出トレイ２１は、排出ローラ部５５によって記録部２４とプラテン４２との間から排出された用紙１２を支持する。
【００２７】
［給送部１５］
給送部１５は、給送トレイ２０に支持された用紙１２を搬送経路６５へ給送する。図２に示されるように、給送部１５は、給送ローラ２５と、給送アーム２６と、軸２７とを備える。給送ローラ２５は、給送アーム２６の先端に回転可能に支持されている。給送ローラ２５は、搬送モータ（不図示）の逆転によって、用紙１２を搬送向き１６に搬送する向きに回転する。以下、給送ローラ２５、搬送ローラ６０、及び排出ローラ６２が、用紙１２を搬送向き１６に搬送する向きに回転することを、「正回転」と表記する。給送アーム２６は、プリンタ部１１のフレームに支持された軸２７に回動可能に支持されている。給送アーム２６は、自重或いはバネ等による弾性力によって給送トレイ２０に向かって回動付勢されている。
【００２８】
［搬送経路６５］
図２に示されるように、搬送経路６５は、その一部がプリンタ部１１の内部において、所定間隔で対向する外側ガイド部材１８及び内側ガイド部材１９によって形成される空間を指す。搬送経路６５は、給送トレイ２０の後端部から後方に延びる経路である。搬送経路６５は、プリンタ部１１の後部において上方に延びつつ前方Ｕターンし、記録部２４とプラテン４２との間の空間を経て排出トレイ２１に至る経路である。図２及び図３に示されるように、搬送ローラ部５４及び排出ローラ部５５の間における搬送経路６５は、左右方向９における複合機１０の概ね中央部に設けられており、且つ前後方向８に延びている。搬送経路６５内における用紙１２の搬送向き１６は、図２において一点鎖線の矢印で示されている。
【００２９】
［搬送ローラ部５４］
図２に示されるように、搬送ローラ部５４は、記録部２４より搬送向き１６の上流に配置されている。搬送ローラ部５４は、互いに対向する搬送ローラ６０及びピンチローラ６１を有する。搬送ローラ６０は、搬送モータによって駆動される。ピンチローラ６１は、搬送ローラ６０の回転に伴って連れ回る。用紙１２は、搬送モータの正転によって正回転する搬送ローラ６０及びピンチローラ６１に挟持されて搬送向き１６に搬送される。
【００３０】
［排出ローラ部５５］
図２に示されるように、排出ローラ部５５は、記録部２４より搬送向き１６の下流に配置されている。排出ローラ部５５は、互いに対向する排出ローラ６２及び拍車６３を有する。排出ローラ６２は、搬送モータによって駆動される。拍車６３は、排出ローラ６２の回転に伴って連れ回る。用紙１２は、搬送モータの正転によって正回転する排出ローラ６２及び拍車６３に挟持されて搬送向き１６に搬送される。
【００３１】
［記録部２４］
図２に示されるように、記録部２４は、搬送向き１６における搬送ローラ部５４及び排出ローラ部５５の間に配置されている。記録部２４は、搬送経路６５を挟んでプラテン４２と上下方向７に対向配置されている。記録部２４は、キャリッジ２３と、記録ヘッド３９（液体消費部の一例）とを備えている。
【００３２】
図３に示されるように、キャリッジ２３は、前後方向８に離間する位置において各々が左右方向９に延設されたガイドレール４３、４４に支持されている。ガイドレール４３、４４は、プリンタ部１１のフレームに支持されている。キャリッジ２３は、ガイドレール４４に設けられた公知のベルト機構に連結されている。ベルト機構は、キャリッジモータ（不図示）によって駆動される。ベルト機構に連結されたキャリッジ２３は、キャリッジモータの駆動によって左右方向９に沿って往復移動する。キャリッジ２３の移動範囲は、図３の一点鎖線で示されるように、搬送経路６５より右方及び左方にまで及ぶ。
【００３３】
キャリッジ２３からは、インクチューブ３２とフレキシブルフラットケーブル３３とが延出されている。
【００３４】
インクチューブ３２は、タンクセット９９及び記録ヘッド３９を接続するものである。インクチューブ３２は、タンクセット９９を構成する４つのインクタンク１００Ｂ、１００Ｙ、１００Ｃ、１００Ｍ（これらを総称して、「インクタンク１００」と表示することがある。）に貯留されたインク（液体の一例）を記録ヘッド３９に供給する。インクタンク１００は、タンクの一例である。詳細には、各色（ブラック、マゼンタ、シアン、イエロー）のインクが流通する４本のインクチューブ３２Ｂ、３２Ｙ、３２Ｃ、３２Ｍ（これらを総称して、「インクチューブ３２」と表記することがある。）が、それぞれインクタンク１００Ｂ、１００Ｙ、１００Ｃ、１００Ｍから延出され、これらが束ねられた状態でキャリッジ２３と接続されている。
【００３５】
フレキシブルフラットケーブル３３は、制御部（不図示）が実装された制御基板及び記録ヘッド３９を電気的に接続するものである。フレキシブルフラットケーブル３３は、制御部から出力される制御信号を記録ヘッド３９に伝達する。
【００３６】
図２に示されるように、キャリッジ２３は、記録ヘッド３９を搭載している。記録ヘッド３９の下面には、複数のノズル４０が配置されている。複数のノズル４０の先端は、記録ヘッド３９の下面から露出している。以下、ノズル４０の先端が露出された面を「ノズル面」と表記することがある。記録ヘッド３９は、ノズル４０からインクを微小なインク滴として吐出する。キャリッジ２３が移動する過程において、プラテン４２に支持されている用紙１２に向けて記録ヘッド３９がインク滴を吐出する。これにより、用紙１２に画像が記録される。また、これにより、インクタンクに貯留されたインクが消費される。
【００３７】
プリンタ部１１は、メンテナンス機構（不図示）を備えている。メンテナンス機構は、記録ヘッド３９のメンテナンスを行うものである。詳細には、メンテナンス機構は、ノズル４０内のインクや空気を吸引するパージ動作やノズル面に付着した異物等の除去動作を実行する。メンテナンス機構は、記録ヘッド３９のノズル４０から吸引したインクをチューブ（不図示）を通じて廃インクタンク（不図示）に送り出す。メンテナンス機構は、搬送経路６５よりも右方または左方に位置するキャリッジ２３の真下となる位置に配置されている。
【００３８】
パージ動作が実行される前に、キャリッジ２３はメンテナンス機構の真上に移動する。その後、メンテナンス機構のキャップ（不図示）が上方へ移動してノズル面を覆う。キャップはチューブを介して廃インクタンクに連結している。チューブにはロータリー式のチューブポンプが配置されている。チューブポンプが駆動することによって、チューブが扱かれる。これにより、記録ヘッド３９内のインクが吸引される。吸引されたインクは、キャップ及びチューブを通じて廃インクタンクへ排出される。
【００３９】
なお、チューブは、少なくとも一箇所において、ロータリー式のチューブポンプによって塞がれた状態である。
【００４０】
［プラテン４２］
図２及び図３に示されるように、プラテン４２は、搬送向き１６における搬送ローラ部５４及び排出ローラ部５５の間に配置されている。プラテン４２は、搬送経路６５を挟んで記録部２４と上下方向７に対向配置されている。プラテン４２は、搬送ローラ部５４によって搬送される用紙１２を下方から支持する。
【００４１】
［タンクセット９９］
タンクセット９９は、記録ヘッド３９に供給されるインクを貯留するものである。図１に示されるように、タンクセット９９は、４つのインクタンク１００Ｂ、１００Ｙ、１００Ｃ、１００Ｍを備える。各インクタンク１００には、異なる色のインクが貯留される。具体的には、インクタンク１００Ｂにはブラックインクが貯留され、インクタンク１００Ｙにはイエローインクが貯留され、インクタンク１００Ｃにはシアンインクが貯留され、インクタンク１００Ｍにはマゼンタインクが貯留される。但し、インクタンク１００の数及びインクの色は上記の例に限定されない。
【００４２】
４つのインクタンク１００Ｂ、１００Ｙ、１００Ｃ、１００Ｍは、左右方向９に沿って一列に並んで配置されている。４つのインクタンク１００Ｂ、１００Ｙ、１００Ｃ、１００Ｍの中で、インクタンク１００Ｂが最も右に配置され、インクタンク１００Ｍが最も左に配置されている。なお、インクタンク１００の配置位置は、前記に限らない。インクタンク１００Ｂは、他のインクタンク１００Ｙ、１００Ｃ、１００Ｍよりもサイズ、特に左右方向９における幅が大きい。なお、インクタンク１００のサイズの大小関係は、前記に限らない。インクタンク１００Ｂは、他のインクタンク１００Ｙ、１００Ｃ、１００Ｍよりもインクの許容貯留量が大きい。なお、インクタンク１００の許容貯留量の大小関係は、前記に限らない。
【００４３】
図１に示されるように、タンクセット９９は、筐体１４の右前部において、筐体１４の内部に据え置かれている。換言すれば、タンクセット９９は、複合機１０から容易に取り外すことができないように、複合機１０に固定されている。なお、「容易に取り外すことができない」とは、例えば、使用者が通常の使用状態における複合機１０の筐体１４からタンクセット９９を容易に取り外すことができないことを意味しており、熟練した修理者が複合機１０の筐体１４からタンクセット９９を修理のために取り外すような場合を除く趣旨である。従って、使用者が通常の使用状態における複合機１０の筐体１４からタンクセット９９を容易に取り外すことができなければよい。
【００４４】
各インクタンク１００の前面は、筐体１４の前壁１４Ａの右部に形成された開口２２を通じて、複合機１０の外部に露出している。開口２２は、左右方向９において、開口１３と隣接している。筐体１４には、カバー７０が設けられている。カバー７０は、開口２２を覆う閉位置（図１（Ａ）に示される位置）と、開口２２を露出させる開位置（図１（Ｂ）に示される位置）との間を回動可能である。カバー７０は、上下方向７の下端近傍において左右方向９に延びる回動軸（不図示）の回動軸線７０Ａ周りに回動可能に、筐体１４によって支持されている。
【００４５】
以下に、インクタンク１００の構成が詳細に説明される。インクタンク１００Ｙ、１００Ｃ、１００Ｍは、同構成であるため、以下では、インクタンク１００Ｙ、１００Ｃ、１００Ｍのうちの１つをインクタンク１００と称して、それ構成が説明される。また、インクタンク１００Ｂの構成は、インクタンク１００Ｙ、１００Ｃ、１００Ｍの構成と類似しているため、インクタンク１００Ｙ、１００Ｃ、１００Ｍの構成の説明の後で、インクタンク１００Ｙ、１００Ｃ、１００Ｍと異なる部分について、その構成が説明される。この場合、インクタンク１００Ｂと、インクタンク１００Ｙ、１００Ｃ、１００Ｍとの構成において形状が多少異なっていたとしても同様な機能を有する構成には同一の符号が付されている。なお、以下の説明では、特に記載のない限り、複合機１０及び複合機１０に据え置かれたインクタンク１００は使用姿勢である。
【００４６】
［インクタンク１００］
図４及び図５に示されるように、インクタンク１００は、インクタンクの外形を形成する筐体１４０で構成されている。筐体１４０は、フレーム１４１と、２枚のフィルム１４２、１４３とを備える。
【００４７】
フレーム１４１は、全体として、左右方向９に沿った寸法が短く、上下方向７及び前後方向８それぞれに沿った寸法が左右方向９に沿った寸法よりも長い扁平の直方体形状である。また、前後方向８の寸法は、上下方向７の寸法よりも長い。つまり、インクタンク１００は、前後方向８に沿った第１辺と、当該第１辺よりも短い上下方向７に沿った第２辺と、当該第２辺よりもい短い左右方向９に沿った第３辺とを有する。
【００４８】
フレーム１４１は、後述するインク室１１１内のインクがインクタンク１００の外部から視認可能な程度の透光性を有する樹脂で形成されている。フレーム１４１は、例えば、ポリプロピレンで形成されている。フレーム１４１は、例えば、樹脂材料を射出成型することによって一体成型されている。フレーム１４１の剛性は、フィルム１４２、１４３の剛性よりも高い。
【００４９】
なお、フレーム１４１は、樹脂以外で構成されていてもよい。また、フレーム１４１は、複数の部材が組み合わされた構成であってもよい。例えば、後述する第１インク室１３１と第２インク室１３２とが、それぞれ別の２つの筐体で構成されており、これら２つの筐体がチューブなどによって連結されていてもよい。
【００５０】
フレーム１４１は、前壁１０１と、左壁１０３と、上壁１０４と、下壁１０５と、後壁１１０と、内壁６９、７１〜７９、１５１〜１５５とを備える。
【００５１】
前壁１０１は、立壁１０２と傾斜壁１０６とで構成されている。立壁１０２は、上下方向７及び左右方向９に拡がっている。傾斜壁１０６は、立壁１０２の上端及び上壁１０４の前端を連結する壁であり、且つ上下方向７及び前後方向８に対して傾斜している。
【００５２】
左壁１０３は、前壁１０１の左端から後方へ延びる壁である。左壁１０３の上端は、上壁１０４の前部と接続されている。左壁１０３の下端は、下壁１０５の前部と接続されている。換言すれば、左壁１０３は、前壁１０１の左端と、上壁１０４の前部左端と、下壁１０５の前部左端と、を連結する壁である。つまり、左壁１０３は、フレーム１４１の前部のみに設けられており、フレーム１４１の後部には設けられていない。
【００５３】
上壁１０４は、前壁１０１の上端（傾斜壁１０６の後端）から後方へ延びている。上壁１０４の前部は、左壁１０３の上端と接続されている。フレーム１４１における上壁１０４の前後方向８の概ね中央部から後部に亘って、上方へ突出した凸部１４４が形成されている。凸部１４４は、上壁１０４の前後方向８の概ね中央部から上方へ突出した前壁１４４Ａと、上壁１０４の後部から上方へ突出した後壁１４４Ｂと、前壁１４４Ａの上端と後壁１４４Ｂの上端とを連結する上壁１４４Ｃとを備えている。
【００５４】
下壁１０５は、前壁１０１の下端から後方へ延びる壁である。下壁１０５は、上壁１０４から上下方向７における下方に離れて形成されている。上述されたように、下壁１０５の前部は、左壁１０３の下端と接続されている。下壁１０５の左端部は、上方へ屈曲している。屈曲した下壁１０５の上端は、後述する内壁７２の下面に接続している（図５参照）。
【００５５】
後壁１１０は、前壁１０１から前後方向８における後方に離れて形成されている。上述されたように、後壁１１０の上端は、上壁１０４の後端と接続されている。後壁１１０の下端は、下壁１０５の後端と接続されている。後壁１１０の左部は、後壁１１０の右部よりも前後方向８に長く構成されている。この長く構成された後壁１１０の左部には、後述するインク流出路１１４が形成される。
【００５６】
図６及び図７に示されるように、内壁７１は、上壁１０４及び凸部１４４の上壁１４４Ｃから下方へ延びている。内壁７１は、上下方向７及び前後方向８に拡がる壁である。内壁７１は、図６及び図７に示されるハッチングの範囲に設けられている。内壁７１は、左右方向９において、フレーム１４１の右端と左端の間のいずれかの位置に設けられている。例えば、内壁７１は、左右方向９において、フレーム１４１の概ね中央部に設けられている。これにより、内壁７１が設けられている箇所において、フレーム１４１の内部は、左右に分割されている。また、内壁７１は、左右方向９において、フレーム１４１の右端に近い位置やフレーム１４１の左端に近い位置に設けられていてもよい。なお、内壁７１は、後述する連通路の一部を規定するため、フレーム１４１の右端及び左端を含まない位置が望ましい。
【００５７】
図４及び図５に示されるように、内壁７２は、上下方向７において、上壁１０４と下壁１０５との間における下壁１０５近傍に設けられている。内壁７２は、下壁１０５の前端部から後端部まで、上方へ傾斜しつつ後方へ延びている。内壁７２の前端は、下壁１０５の前端部側の部位と接続している。内壁７２の後端は、後壁１１０の前方であって後壁１１０から離れている。
【００５８】
内壁７３は、上下方向７において、内壁７２の後端から、後壁１１０との間の間隔を一定に維持しつつ、概ね上方へ延びている。内壁７３は、凸部１４４の外形に沿うように屈曲しつつ、凸部１４４の内部まで延びている。内壁７３の上端は、凸部１４４の上壁１４４４Ｃの下方であって上壁１４４Ｃから離れている。内壁７３の一部（後述する内壁７５よりも下方の一部）は、フレーム１４１の右端から左端に亘って設けられている。一方、内壁７３のその他の部分は、フレーム１４１の右端から内壁７１に亘って設けられている。
【００５９】
内壁６９は、上下方向７及び前後方向８に拡がっている。内壁６９は、上下方向７において内壁７２と後述する内壁７５との間に位置している。内壁６９は、内壁７３の前方に位置している。内壁６９は、左右方向９においてフレーム１４１の概ね中央部に設けられている。これにより、内壁６９が設けられている箇所において、後述する第１インク室１３１の後インク室１３８は左右に分割されている。内壁６９の下端は、内壁７２の後部に接続されている。内壁６９の上端は、内壁７５の後部に接続されている。内壁６９の後端は、内壁７３に接続されている。
【００６０】
以下に説明する内壁７４〜７７は、内壁７１（図６参照）から右方へ延びている。換言すると、内壁７４〜７７は、内壁７１からフレーム１４１の右端に亘って設けられている。
【００６１】
図４及び図６に示されるように、内壁７４は、上壁１０４の下面１０４Ａの前部において下方へ延びている。内壁７４の左端は左壁１０３に接続されており、前後方向８における内壁７４の後面は、内壁７１の前端と接続されている。
【００６２】
内壁７５は、内壁７４の下端から後方へ延びている。内壁７５の後端は、内壁７３と接続されている。
【００６３】
内壁７６は、内壁７３の上端から前方へ延びている。つまり、内壁７６は、内壁７５よりも上方に位置する。内壁７６の前端は、後述する貫通孔１７５よりも後方に位置する。
【００６４】
内壁７７は、凸部１４４の前壁１４４Ａの下端から後方へ延びている。内壁７７の前部は、上下方向７において、凸部１４４の上壁１４４Ｃと内壁７５との間に位置しており、上壁１０４及び内壁７５のそれぞれと上下方向７において対向している。内壁７７の後部は、内壁７６と内壁７５との間に位置しており、内壁７６及び内壁７５のそれぞれと上下方向７において対向している。内壁７７の後端は、内壁７３の前方であって内壁７３から離れている。
【００６５】
以下に説明する内壁７８、７９は、内壁７１（図６及び図７参照）から右方及び左方へ延びている。換言すると、内壁７８、７９は、フレーム１４１の右端から左端に亘って設けられている。
【００６６】
図４及び図５に示されるように、内壁７８は、上下方向７及び左右方向９に拡がっている。内壁７８は、凸部１４４の前壁１４４Ａの後方に前壁１４４Ａと離れて設けられている。内壁７８は、前後方向８において、貫通孔１７５を挟んで内壁７６と対向している。つまり、内壁７８は、前後方向８において、前壁１４４Ａと貫通孔１７５との間に設けられている。
【００６７】
内壁７９は、上下方向７及び左右方向９に拡がっている。内壁７９は、内壁７４よりも後方、且つ内壁６９よりも前方に位置している。内壁７９の上端は、内壁７５と接続されている。内壁７９の下端は、内壁７２と接続されている。内壁７９の左端は、左壁１０３と接続されている。
【００６８】
以下に説明する内壁１５１、１５２は、内壁７１（図７参照）から左方へ延びている。換言すると、内壁１５１、１５２は、内壁７１からフレーム１４１の左端に亘って設けられている。
【００６９】
図５及び図７に示されるように、内壁１５１は、凸部１４４の前壁１４４Ａの下端と、凸部１４４の上壁１４４Ｃの後部とを結ぶ壁である。内壁１５１は、前壁１４４Ａの下端から後方へ延びており、次いで上方へ延びており、次いで後方へ延びており、次いで上方へ延びており、上壁１４４Ｃへ至る。
【００７０】
内壁１５２は、凸部１４４の上壁１４４Ｃの２箇所を結ぶ壁である。当該２箇所は、上壁１４４Ｃの前端部と、上壁１４４Ｃの前後方向８の中央部である。内壁１５２は、上壁１４４Ｃの前端部の下面から下方へ延びており、次いで後方へ延びており、次いで上方へ延びており、上壁１４４Ｃの前後方向８の中央部の下面へ至る。内壁１５２は、インクタンク１００を左から視た側面視において、上壁１４４Ｃと内壁１５１とによって囲まれている。
【００７１】
図４に示されるように、フレーム１４１の右面は開放されている。前壁１０１、下壁１０５、後壁１１０、上壁１０４、内壁７２〜７９、凸部１４４の前壁１４４Ａ、凸部１４４の後壁１４４Ｂ、及び凸部１４４の上壁１４４Ｃの右面にフィルム１４２が溶着されることによって、フレーム１４１の右面が封止される。
【００７２】
図５に示されるように、フレーム１４１の左面の後部は開放されている。後壁１１０、上壁１０４、内壁７２、内壁７９、内壁１５１、内壁１５２、凸部１４４の前壁１４４Ａ、凸部１４４の後壁１４４Ｂ、凸部１４４の上壁１４４Ｃ、及び後述する隔壁１８６の左面にフィルム１４３が溶着されることによって、フレーム１４１の左面が封止される。
【００７３】
図４に示されるように、前壁１０１の立壁１０２の外面（前面）は、第１ライン１４６と第２ライン１４７とを備える。
【００７４】
第１ライン１４６は、左右方向９に延びている。第１ライン１４６の上下方向７の位置は、複合機１０が使用姿勢において、貯留が許容される最大量（第１量の一例）のインクがインク室１１１に貯留されたときの、当該インクの液面と同じ高さである。なお、第１ライン１４６の上下方向７の位置は、当該最大量のインクがインク室１１１に貯留されたときの、当該インクの液面と同じ高さに限らない。
【００７５】
第２ライン１４７は、左右方向９に延びている。第２ライン１４７は第１ライン１４６よりも下方に位置している。詳細には、第２ライン１４７の上下方向７の位置は、インクタンク１００が使用姿勢において、上記最大量よりも少ない量のインクがインク室１１１に貯留されたときの、当該インクの液面と同じ高さである。本実施形態において、第２ライン１４７の上下方向７の位置は、インクタンク１００が使用姿勢において、インクの補充が必要となる最小貯留量のインクがインク室１１１に貯留されたときの、当該インクの液面と同じ高さである。
【００７６】
［インク室１１１］
図４及び図５に示されるように、筐体１４０は、その内部にインク室１１１（液体貯留室の一例）を有する。インク室１１１は、インクタンク１００の内部空間であり、インクが貯留される。インク室１１１は、第１インク室１３１と第２インク室１３２とを備える。
【００７７】
第１インク室１３１は、以下で説明する空間と、当該空間と連通された大気連通路の第１連通路１７１を備える。第２インク室１３２は、以下で説明する空間と、当該空間と連通された大気連通路の第２連通路１７２と、バッファ室１４８と、インク流出路１１４とを備える。大気連通路、バッファ室１４８、及びインク流出路１１４については、後述する。
【００７８】
第１インク室１３１は、前壁１０１、左壁１０３、下壁１０５、後壁１１０、内壁７２、内壁７３、内壁７４、内壁７５、上壁１０４、内壁１５１、凸部１４４の上壁１４４Ｃ、フィルム１４２、及びフィルム１４３によって区画されている。
【００７９】
前壁１０１における左右方向９に延びた後面１０１Ｂ（図１２（Ａ）参照、第１面の一例）は、第１インク室１３１の前面を区画している。詳細には、立壁１０２の後面１０２Ｂ（図６参照、鉛直面の一例）及び傾斜壁１０６の後面１０６Ｂ（図６参照、傾斜面の一例）は、第１インク室１３１の前面を区画している。後面１０２Ｂは、上下方向７及び左右方向９に沿っている。後面１０６Ｂは、左右方向９に沿っており且つ前後方向８と交差する方向に沿っている。
【００８０】
下壁１０５及び内壁７２の上面は、第１インク室１３１の下面を区画している。内壁７３の前面は、第１インク室１３１の後面を区画している。内壁７５、内壁７４、及び上壁１０４の下面は、第１インク室１３１の上面を区画している。
【００８１】
図１２（Ａ）に示されるように、フィルム１４２の左面１４２Ｌは、第１インク室１３１の右面を区画している。左壁１０３の右面１０３Ｒ及びフィルム１４３の右面１４３Ｒは、第１インク室１３１の左面を区画している。左面１４２Ｌと右面１０３Ｒ、１４３Ｒとは、一対の第２面の一例である。つまり、一対の第２面は、それぞれ少なくとも一部がフィルムで構成されている。
【００８２】
左面１４２Ｌと右面１０３Ｒ、１４３Ｒとは、前壁１０１の後面１０１Ａから後方へ延出している。左面１４２Ｌと右面１０３Ｒ、１４３Ｒとは、左右方向９において互いに対向している。
【００８３】
図４及び図５に示されるように、第１インク室１３１は、内壁７９によって、前インク室１３７と後インク室１３８とに分割されている。内壁７９の前面は、前インク室１３７の後面を区画している。内壁７９の後面は、後インク室１３８の前面を区画している。
【００８４】
内壁７９の上端部は、右端から左方へ切り欠かれている。これにより、内壁７９の上端部には、開口１３５が形成されている。開口１３５は、内壁７９、内壁７５、及びフィルム１４２によって区画されている。内壁７９の下端部は、右端から左方へ切り欠かれている。これにより、内壁７９の下端部には、開口１３６が形成されている。開口１３６は、内壁７９、内壁７２、及びフィルム１４２によって区画されている。前インク室１３７と後インク室１３８とは、開口１３５、１３６によって連通している。
【００８５】
図４及び図６に示されるように、第２インク室１３２は、第１インク室１３１の下方及び後方に位置する。第２インク室１３２は、インクタンク１００を左から視た側面視において、概ねＬ字形状である。第２インク室１３２は、下インク室５１と上インク室５２とを備える。下インク室５１は、第１インク室１３１の下方に位置する。上インク室５２は、下インク室５１の後端部から上方へ延びている。上インク室５２は、第１インク室１３１の後インク室１３８の後方に位置する。
【００８６】
下インク室５１は、下壁１０５、内壁７２、及びフィルム１４２によって区画されている。下壁１０５は、下インク室５１の前面、下面、及び左面を区画している。内壁７２は、下インク室５１の上面を区画している。フィルム１４２は、下インク室５１の右面を区画している。下インク室５１の後面は開放されている。当該後面において、下インク室５１は上インク室５２と連通している。
【００８７】
内壁７２の前端部は、右端から左方へ切り欠かれている。これにより、内壁７２の前端部には、開口１４５が形成されている。開口１４５は、内壁７２、下壁１０５、及びフィルム１４２によって区画されている。第１インク室１３１の前インク室１３７と、第２インク室１３２の下インク室５１とは、開口１４５によって連通している。
【００８８】
上インク室５２は、後壁１１０、内壁７３、及びフィルム１４２によって区画されている。後壁１１０は、上インク室５２の後面及び左面を区画している。内壁７３は、上インク室５２の前面を区画している。フィルム１４２は、上インク室５２の右面を区画している。上インク室５２の下面は開放されている。当該下面において、上インク室５２は下インク室５１と連通している。
【００８９】
上インク室５２の上面は開放されている。ここで、当該上面は仮想面であり、第１ライン１４６と同じ高さである。つまり、当該上面は、インクタンク１００が使用姿勢において、貯留が許容される最大量のインクがインク室１１１に貯留されたときの、当該インクの液面と同じ高さである。そして、当該上面において、上インク室５２は、後述する大気連通路の第２連通路１７２と連通している。すなわち、当該上面が、上インク室５２と第２連通路１７２との境界である。なお、当該境界は前述した位置に限らず、例えば第１ライン１４６よりも上方または下方であってもよい。
【００９０】
インクタンク１００が使用姿勢において、換言すると上壁１０４がインクタンク１００の上部を構成し且つ下壁１０５がインクタンク１００の下部を構成した状態において、インク室１１１に貯留が許容される最大量のインクが貯留されているとき、インクの液面は、図６に破線１９１で示される位置である。つまり、インクの液面は、上述したように、第１ライン１４６と同じ高さである。
【００９１】
このとき、第１インク室１３１に貯留されたインクの液面と第２インク室１３２に貯留されたインクの液面とは、鉛直高さ（上下方向７の高さ）で同じである
【００９２】
また、このとき、第１インク室１３１におけるインクの液面と、第２インク室１３２におけるインクの液面とは、互いに独立して形成されている。具体的には、第１インク室１３１におけるインクの液面は、前壁１０１、内壁７３、フィルム１４２、左壁１０３、及びフィルム１４３によって囲まれている。一方、第２インク室１３２におけるインクの液面は、後壁１１０、内壁７３、及びフィルム１４２によって囲まれている。
【００９３】
なお、第１インク室１３１におけるインクの液面と、第２インク室１３２におけるインクの液面とが、互いに独立して形成されるのは、インク室１１１に貯留が許容される最大量のインクが貯留されているときに限らない。例えば、第１インク室１３１におけるインクの液面と、第２インク室１３２におけるインクの液面とが、互いに独立して形成されるのは、インク室１１１に貯留されたインクの液面が第２ライン１４７と同じ高さであるときのインク量のインクが貯留されているときであってもよい。もちろん、インク室１１１に貯留が許容される最大量のインクが貯留されているとき、インク室１１１に貯留されたインクの液面が第２ライン１４７と同じ高さであるときのインク量のインクが貯留されているとき、及び／または、その他の量のインクが貯留されているときにおいて、第１インク室１３１におけるインクの液面と、第２インク室１３２におけるインクの液面とが、互いに独立して形成されていてもよい。
【００９４】
また、インクタンク１００が使用姿勢でない場合であっても、第１インク室１３１におけるインクの液面と、第２インク室１３２におけるインクの液面とは、互いに独立して形成されている。
【００９５】
例えば、下壁１０５がインクタンク１００の上部を構成し且つ上壁１０４がインクタンク１００の下部を構成した状態において、インク室１１１に貯留が許容される最大量のインクが貯留されているとき、インクの液面は、図６に破線１９２で示される位置である。すなわち、上下方向７において、第１ライン１４６と第２ライン１４７との間に示される破線１９２の位置である。
【００９６】
また、例えば、前壁１０１がインクタンク１００の上部を構成し且つ後壁１１０がインクタンク１００の下部を構成した状態において、インク室１１１に貯留が許容される最大量のインクが貯留されているとき、インクの液面は、図６に一点鎖線１９３で示される位置である。
【００９７】
また、例えば、後壁１１０がインクタンク１００の上部を構成し且つ前壁１０１がインクタンク１００の下部を構成した状態において、インク室１１１に貯留が許容される最大量のインクが貯留されているとき、インクの液面は、図６に二点鎖線１９４で示される位置である。
【００９８】
図１２（Ａ）に示されるように、前壁１０１の後面１０１Ｂから後方へ延びる一対の第２面のうちの一方の、後面１０１Ｂの左端から後方への第１長さＬ１の領域は、フィルム１４２、１４３よりも剛性の高い左壁１０３である。当該領域の上下方向７の範囲は、インクタンク１００の筐体１４０の上端から下端までである。この左壁１０３が設けられている領域が第１領域である。
【００９９】
一方、一対の第２面のうちの一方の左壁１０３よりも後方部分は、フィルム１４３で構成されている。また、一対の第２面のうちの他方は、フィルム１４２で構成されている。このフィルム１４２、１４３が設けられている領域が第２領域である。
【０１００】
なお、第１領域は、壁が配置される位置に応じて適宜設定される。本実施形態では、第１領域が一対の第２面のうちの一方のみを含むものであるが、第１領域は一対の第２面のうちの他方のみを含むものであってもよいし、一対の第２面の双方を含むものであってもよい。例えば、前壁１０１の右端から後方へ延びる右壁が設けられている構成の場合、当該右壁が設けられている領域は第１領域である。なお、前述のような構成は、図１２（Ｂ）を参照しつつ後述される。また、例えば、前壁１０１の右端及び左端の双方から後方へ延びる一対の壁が設けられている構成の場合、当該一対の壁が設けられている領域は第１領域である。また、第２領域についても、第１領域と同様に、フィルムが溶着される位置に応じて適宜設定される。
【０１０１】
上述したように、フレーム１４１は、インク室１１１内のインクがインクタンク１００の外部から視認可能な程度の透光性を有する樹脂で形成されている。また、図１に示されるように、インクタンク１００は、前壁１０１が露出された状態で筐体１４の内部に据え置かれている。よって、前壁１０１が使用者によって視認されることによって、インク室１１１内のインク量が使用者によって認識可能である。また、上述したように、前壁１０１の立壁１０２の前面には、第１ライン１４６及び第２ライン１４７が設けられている。これにより、インク室１１１内のインク量の、貯留が許容される最大量及びインクの補充が必要となる最小貯留量に対する大小が認識可能である。以上より、立壁１０２の後面１０２Ｂは、インク室１１１内のインク量を表示する表示面の一例である。
【０１０２】
また、立壁１０２の後面１０２Ｂには、後面１０２Ｂから立設され且つ後面１０２Ｂに沿って延設されたリブが設けられていない。これにより、使用者が外部から前壁１０１を視認したとき、使用者が、リブを、第１ライン１４６、第２ライン１４７、及び貯留されたインクの液面と誤って認識することがない。
【０１０３】
［バッファ室１４８］
図４及び図６に示されるように、筐体１４０は、その内部にバッファ室１４８を有する。バッファ室１４８は、インクタンク１００の内部空間であり、第２インク室１３２と後述するインク流出路１１４との間に介在している。つまり、第２インク室１３２に貯留されているインクが、バッファ室１４８を介して、インク流出路１１４へ流入する。
【０１０４】
バッファ室１４８は、筐体１４０の右後下部に設けられている。バッファ室１４８は、内壁１５３、内壁１５４、内壁１５５、下壁１０５、後壁１１０、及びフィルム１４２によって区画されている。
【０１０５】
内壁１５３は、後壁１１０の右下部における前面から前方へ突出し且つ左右方向９へ延びている。内壁１５３は、バッファ室１４８の上面を区画している。内壁１５４は、下壁１０５の右後部における上面から上方へ突出し且つ左右方向９へ延びている。内壁１５４は、バッファ室１４８の前面を区画している。内壁１５５は、上下方向７及び前後方向８に拡がる壁であって、内壁１５３、内壁１５４、後壁１１０、及び下壁１０５に囲まれている。内壁１５５は、バッファ室１４８の左面を区画している。下壁１０５は、バッファ室１４８の下面を区画している。後壁１１０は、バッファ室１４８の後面を区画している。フィルム１４２は、バッファ室１４８の右面を区画している。
【０１０６】
内壁１５４の右下端部は、右端から左方へ切り欠かれている。これにより、内壁１５４の右下端部には、開口１４９が形成されている。開口１４９は、内壁１５４及びフィルム１４２によって区画されている。開口１４９は、第２インク室１３２の右後下部とバッファ室１４８とを連通する。なお、本実施形態において、内壁１５４は半円状に切り欠かれているが、切り欠きの形状は、半円状に限らず、例えば矩形状であってもよい。
【０１０７】
内壁１５５の中央部には、円形の開口１５０が形成されている。開口１５０は、バッファ室１４８とインク流出路１１４とを連通する。開口１５０には、第２インク室１３２に貯留されたインクがバッファ室１４８を介して流入する。換言すれば、開口１５０は、バッファ室１４８からインク流出路１１４へとインクを流入するためのインク流入口（液体流入口の一例）である。なお、開口１５０の形状は円形に限らず、例えば矩形状などであってもよい。
【０１０８】
［インク流出路１１４］
図５及び図７に示されるように、筐体１４０は、インク流出路１１４を有する。インク流出路１１４は、第２インク室１３２に貯留されているインクをインクタンク１００の外部へ流出するための連通路である。なお、本実施形態では、第１インク室１３１に貯留されているインクは、開口１４５を介して第２インク室１３２に移動するため、インク流出路１１４は、第１インク室１３１及び第２インク室１３２に貯留されているインクをインクタンク１００の外部へ流出するための連通路とも言える。
【０１０９】
インク流出路１１４は、開口１５０を通じてバッファ室１４８と連通している。インク流出路１１４は、開口１５０から左方へ延びており、次いで上方へ延びており、次いで下方へ延びており、次いで右方へ延びており、開口１５６へ至る。
【０１１０】
インク流出路１１４は、後壁１１０の左面から右方へ凹んだ溝として形成されている。インク流出路１１４の右面の一部及び左面を除く部分は、後壁１１０によって区画されている。インク流出路１１４の右面における開口１５６の周囲部分は、内壁１５５によって区画されている。インク流出路１１４の左面は、フィルム１４３によって区画されている。
【０１１１】
フレーム１４１は、筒状の突出部１５７を備えている。突出部１５７は、後壁１１０の開口１５６の周囲部分から後方へ突出している。突出部１５７の内部空間の前端は、開口１５６によってインク流出路１１４と連通している。突出部１５７の内部空間の後端は、開口１５８によってインクタンク１００の外部と連通している。インクチューブ３２が、開口１５８を通じて突出部１５７と接続している。
【０１１２】
以上より、インク流出路１１４の一端は、バッファ室１４８を通じて第２インク室１３２と連通している。また、インク流出路１１４の他端は、突出部１５７の内部空間、及びインクチューブ３２を通じて記録ヘッド３９のノズル４０と連通している。つまり、開口１５８は、開口１５０から流入したインクを記録ヘッド３９に向けて流出する。また、インク流出路１１４内のインクは、記録ヘッド３９からインク滴が吐出されることによってインクが消費されると、記録ヘッド３９へ向けて移動可能となる。
【０１１３】
ここで、インク流出路１１４は、流路である。流路とは、一端がインク室１１１と接続された空間であって、他端が閉塞されている場合にインクタンク１００の姿勢にかかわらずインク室１１１に貯留されたインクが流入しない空間である。本実施形態では、インクタンク１００は、流路として、インク流出路１１４のみを備えているが、インク流出路１１４以外に流路を備えていてもよい。
【０１１４】
以下に詳述する。上述したように、記録ヘッド３９のノズル４０を覆うことが可能なメンテナンス機構のキャップから延びたチューブは、ポンプによって塞がれている。よって、ノズル４０がキャップに覆われているとき、インク流出路１１４の他端（突出部１５７寄りの端）は、突出部１５７の内部空間、インクチューブ３２、記録ヘッド３９、及びキャップを通じて、閉塞されたチューブと連通している。つまり、インク流出路１１４の他端は閉塞している。そして、インク流出路１１４の断面積は、第２インク室１３２の断面積に比べて十分に小さく構成されている。そのため、インクタンク１００が使用姿勢以外の姿勢に変化されても、つまりインクタンク１００の姿勢にかかわらず、第２インク室１３２に貯留されたインクが、インク流出路１１４へ流入することはない。なお、ノズル４０がキャップに覆われていないとき、ノズル４０は開放されている。つまり、インク流出路１１４の他端は開放されている。そのため、第２インク室１３２に貯留されたインクは、インク流出路１１４へ流入可能である。
【０１１５】
一方、上述した開口１４５及び後述する大気連通路は、境界である。境界とは、一端または他端の少なくとも一方がインク室１１１と接続された空間であって、仮に一端または他端が閉塞されている場合であってもインク室１１１に貯留されたインクが流入可能な空間である。本実施形態では、インクタンク１００は、境界として、開口１４５及び大気連通路のみを備えているが、開口１４５及び大気連通路以外に境界を備えていてもよい。
【０１１６】
［大気連通路］
図４〜図７に示されるように、筐体１４０は、大気連通路を有する。大気連通路は、インク室１１１とインクタンク１００の外部とを連通するための連通路である。換言すると、大気連通路は、インク室１１１を大気開放するための連通路である。大気連通路は、図４及び図６に示される第１連通路１７１及び第２連通路１７２と、図４〜図７に示される第３連通路１７３とを備えている。第１連通路１７１及び第２連通路１７２は、内壁７１よりも右方に位置している。第３連通路１７３は、内壁７１の右方及び左方の双方に位置している。
【０１１７】
図４及び図６に示されるように、第１連通路１７１は、開口１７４を通じて第１貯留室１３１の前インク室１３７と連通している。開口１７４は、内壁７５の右前端部が右端から左方へ切り欠かれることによって形成されている。開口１７４は、内壁７５と内壁７４とフィルム１４２とによって区画されている。
【０１１８】
第１連通路１７１は、開口１７４から後方へ延びており、次いでＵターンするように前方へ延びており、貫通孔１７５（図６及び図７参照）へ至る。貫通孔１７５は、内壁７１に設けられている。貫通孔１７５は、前後方向８において、凸部１４４の前後方向８の中央よりも若干前方に設けられている。貫通孔１７５は、内壁７１よりも右方と内壁７１よりも左方とを連通している。
【０１１９】
第１連通路１７１は、上壁１０４、内壁７３、内壁７４、内壁７５、内壁７６、及び内壁７７によって、前後及び上下の面を区画されている。また、第１連通路１７１は、内壁７１によって左面を区画されており、フィルム１４２によって右面を区画されている。
【０１２０】
第２連通路１７２は、その下端において第２インク室１３２の上インク室５２の上面（仮想面）と連通している。第２連通路１７２は、上インク室５２との連通位置から上方へ延びており、次いで前方へ延びており、次いで上方へ延びており、次いで前方へ延びており、貫通孔１７５へ至る。
【０１２１】
第２連通路１７２は、後壁１１０、上壁１０４、凸部１４４の後壁１４４Ｂ、及び凸部１４４の上壁１４４Ｃによって、後面及び上面を区画されている。また、第２連通路１７２は、内壁７３及び内壁７６によって、前面及び下面を区画されている。また、第２連通路１７２は、内壁７１によって左面を区画されており、フィルム１４２によって右面を区画されている。
【０１２２】
図５及び図７に示されるように、第３連通路１７３は、左方連通路１７６と、右方連通路１７７と、後方連通路１７８と、ラビリンス１７９とを備えている。
【０１２３】
左方連通路１７６は、貫通孔１７５（図６及び図７参照）からフレーム１４１の左端まで左方へ延びている。左方連通路１７６は、貫通孔１７５を通じて第１連通路１７１及び第２連通路１７２と連通している。左方連通路１７６は、開口１８０を通じて右方連通路１７７と連通している。開口１８０は、内壁７８の左下端部が左端から右方へ切り欠かれることによって形成されている。開口１８０は、内壁７８と内壁１５２とフィルム１４３とによって区画されている。
【０１２４】
左方連通路１７６は、内壁７８によって前面を区画されており、内壁１５２によって後面及び下面を区画されており、凸部１４４の上壁１４４Ｃによって上面を区画されており、フィルム１４３によって左面を区画されている。
【０１２５】
右方連通路１７７は、開口１８０からフレーム１４１の右端まで右方へ延びている。図４、図６、及び図７に示されるように、内壁７１における右方連通路１７７が形成された部分には開口１８１が形成されている。右方連通路１７７における内壁７１よりも左部と内壁７１よりも右部とは、開口１８１によって連通されている。
【０１２６】
図４に示されるように、内壁７１における開口１８１の周縁から囲壁１８２が右方へ突出している。囲壁１８２の下内面１８２Ａは、右端が左端よりも上方に位置するように傾斜している。囲壁１８２の突出先端面、つまり囲壁１８２の右面には、半透膜１８３（図４参照）が貼付される。これにより、右方連通路１７７は、半透膜１８３によって閉塞されている。
【０１２７】
半透膜１８３は、インクの通過を遮断し且つ気体の通過を許容する微小な孔を有する多孔質膜である。例えば、半透膜１８３は、ポリテトラフルオロエチレン、ポリクロロトリフルオロエチレン、テトラフルオロエチレン−ヘキサフルオロプロピレン共重合体、テトラフルオロエチレン−パーフルオロアルキルビニルエーテル共重合体、テトラフルオロエチレン−エチレン共重合体などのフッ素樹脂からなる。
【０１２８】
図５及び図７に示されるように、右方連通路１７７の内壁７１よりも左部は、内壁１５２によって前面及び下面を区画されており、内壁７８によって後面を区画されており、凸部１４４の上壁１４４Ｃによって上面を区画されており、内壁７１（図６参照）によって右面の開口１８１を除く部分を区画されており、フィルム１４３によって左面を区画されている。
【０１２９】
また、図４及び図６に示されるように、右方連通路１７７の内壁７１よりも右部は、凸部１４４の前壁１４４Ａによって前面を区画されており、内壁７７と囲壁１８２の下内面１８２Ａとによって下面を区画されており、内壁７８によって後面を区画されており、凸部１４４の上壁１４４Ｃによって上面を区画されており、内壁７１によって左面の開口１８１を除く部分を区画されており、フィルム１４２によって右面を区画されている。
【０１３０】
図５及び図７に示されるように、後方連通路１７８は、凸部１４４の前壁１４４Ａと内壁７１との間に形成された開口１８４（図６及び図７参照）を通じて、右方連通路１７７における内壁７１よりも右部と連通している。後方連通路１７８は、開口１８４から左方へ延びており、次いで後方へ延びており、内壁１５１と内壁１５２との間に形成された開口１８５を通じてラビリンス１７９へ至る。
【０１３１】
後方連通路１７８は、内壁１５１及び凸部１４４の前壁１４４Ａによって下面及び前面を区画されており、内壁１５２によって後面及び上面を区画されており、内壁７１によって右面を区画されており、フィルム１４３によって左面を区画されている。
【０１３２】
ラビリンス１７９は、上下方向７に延びた隔壁１８６が前後方向８に並んで複数設けられていることによって、上下方向７のＵターンを繰り返しつつ前後方向８に沿って延びる連通路である。ラビリンス１７９の一端（前下端）は、開口１８５を通じて後方連通路１７８と連通している。ラビリンス１７９の他端（後上端）は、大気開放口１８７（図５参照）と連通している。
【０１３３】
大気開放口１８７は、凸部１４４の上壁１４４Ｃを上下方向７に貫通する孔として構成されている。大気開放口１８７の下端は、ラビリンス１７９と連通している。大気開放口１８７の上端は、インクタンク１００の外部と連通している。大気開放口１８７は、インクタンク１００が使用姿勢において、貯留が許容される最大量のインクがインク室１１１に貯留されたときのインクの液面よりも上方に位置する。
【０１３４】
以上より、大気連通路は、図４に示されるように、開口１７４においてインク室１１１の第１インク室１３１と連通しており、且つ第２連通路１７２の下端においてインク室１１１の第２インク室１３２と連通している。一方、大気連通路は、図５に示されるように、大気開放口１８７においてインクタンク１００の外部と連通している。
【０１３５】
［インクタンク１００Ｂ］
以下、図８〜図１１を参照しつつ、インクタンク１００Ｂの構成が説明される。図８及び図９に示されるように、インクタンク１００Ｂは、インクタンク１００Ｙ、１００Ｃ、１００Ｍ（図４及び図５参照）よりも左右方向９に長い。
【０１３６】
以下、インクタンク１００Ｂについて、インクタンク１００Ｙ、１００Ｃ、１００Ｍと異なる部分について説明される。なお、インクタンク１００Ｂにおいてインクタンク１００Ｙ、１００Ｃ、１００Ｍと同構成の部分については、図４〜図７と同じ参照符号が付された上で、その説明が省略される。また、インクタンク１００Ｂにおける所定部分の構成と、インクタンク１００Ｙ、１００Ｃ、１００Ｍの当該所定部分に対応する部分の構成との相違点が、インクタンク１００Ｂにおける所定部分の構成の方が左右方向９に長いという点のみである場合、インクタンク１００Ｂにおける当該所定部分に対応する部分については、図４〜図７と同じ参照符号が付された上で、その説明が省略される。
【０１３７】
図８及び図９に示されるように、インクタンク１００Ｂの筐体１４０は、フレーム１４１と、３枚のフィルム１３９、１４２、１４３とを備える。
【０１３８】
図８及び図１０に示されるように、インクタンク１００Ｂは、インクタンク１００Ｙ、１００Ｃ、１００Ｍが備えている左壁１０３（図５参照）を備えておらず、右壁１５９を備えている。右壁１５９は、前壁１０１の右端から後方へ延びる壁である。右壁１５９の上端は、上壁１０４の前部と接続されている。右壁１５９の下端は、下壁１０５の前部と接続されている。換言すれば、右壁１５９は、前壁１０１の右端と、上壁１０４の前部右端と、下壁１０５の前部右端と、を連結する壁である。つまり、右壁１５９は、フレーム１４１の前部のみに設けられており、フレーム１４１の後部に設けられていない。
【０１３９】
図８及び図９に示されるように、上壁１０４の前部には、凹部１６２が形成されている。凹部１６２は、側壁１６２Ａ、１６２Ｂ、１６２Ｃ及び上壁１０４によって区画されている。
【０１４０】
インクタンク１００Ｂは、内壁７１（図６参照）を備えていない。インクタンク１００Ｂは、内壁７１（図６参照）に対応する壁として、内壁１６０（図８及び図１０参照）及び内壁１６１（図９及び図１１参照）を備えている。
【０１４１】
内壁１６０及び内壁１６１は、上壁１０４及び凸部１４４の上壁１４４Ｃから下方へ延びている。内壁１６０及び内壁１６１は、上下方向７及び前後方向８に拡がる壁である。
【０１４２】
内壁１６０は、図１０に示されるハッチングの範囲に設けられている。内壁１６０は、左右方向９において、フレーム１４１の右端と左端の間のいずれかの位置に設けられている。例えば、内壁１６０は、左右方向９において、フレーム１４１の中央よりも右方に設けられている。
【０１４３】
内壁１６１は、図１１に示されるハッチングの範囲に設けられている。内壁１６１は、左右方向９において、フレーム１４１の右端と左端の間であって内壁１６０よりも左方のいずれかの位置に設けられている。例えば、内壁１６１は、左右方向９において、フレーム１４１の中央よりも左方に設けられている。
【０１４４】
図８及び図１０に示されるように、内壁７３の内壁７５よりも上方の部分、内壁７５の内壁７３寄りの部分、内壁７６、及び内壁７７は、内壁１６０から右方へ延びている。つまり、内壁７３の内壁７５よりも上方の部分、内壁７５の内壁７３寄りの部分、内壁７６、及び内壁７７は、内壁１６０よりも右方に設けられている。
【０１４５】
図９及び図１１に示されるように、内壁７４、及び内壁７５の内壁７４寄りの部分は、側壁１６２Ａから左方へ延びている。つまり、内壁７４、及び内壁７５の内壁７４寄りの部分は、側壁１６２Ａよりも左方に設けられている。
【０１４６】
図９及び図１１に示されるように、内壁７４は、上壁１０４の左前部から下方へ延びている。内壁７４は、内壁１６０及び内壁１６１とは接続しておらず、側壁１６２Ａと接続している。
【０１４７】
内壁７５は、内壁７４の下端から後方へ延びている。この後方へ延びた部分において、内壁７５は、側壁１６２Ａから左方へ延びている。次いで、内壁７５は、右方へ延びている。この右方へ延びた部分において、内壁７５は、前端が側壁１６２Ｂ（図８参照）と接続し且つ後端が凸部１４４の前壁１４４Ａ（図８及び図１１参照）と接続している。次いで、図８及び図１０に示されるように、内壁７５は、後方へ延びている。この後方へ延びた部分において、内壁７５は、内壁１６０から右方へ延びている。
【０１４８】
内壁７９の右端は、右壁１５９と接続している。
【０１４９】
内壁１５１は、凸部１４４の前壁１４４Ａの下端と、凸部１４４の後壁１４４Ｂとを結ぶ壁である。内壁１５１は、前壁１４４Ａの下端から後方へ延びており、次いで上方へ延びており、次いで後方へ延びており、次いで上方へ延びており、次いで後方へ延びており、後壁１４４Ｂへ至る。
【０１５０】
図８に示されるように、フレーム１４１の右面の後部は開放されている。下壁１０５、後壁１１０、上壁１０４、内壁７２、７３、７５〜７９、凹部１６２の側壁１６２Ｂ、凸部１４４の前壁１４４Ａ、凸部１４４の後壁１４４Ｂ、及び凸部１４４の上壁１４４Ｃの右面にフィルム１４２が溶着されることによって、フレーム１４１の右面が封止される。
【０１５１】
図９に示されるように、フレーム１４１の左面は開放されている。後壁１１０、上壁１０４、下壁１０５、内壁７２、内壁７４、内壁７５、内壁７８、内壁７９、内壁１５１、内壁１５２、凸部１４４の前壁１４４Ａ、凸部１４４の後壁１４４Ｂ、凸部１４４の上壁１４４Ｃ、及び隔壁１８６の左面にフィルム１４３が溶着されることによって、フレーム１４１の左面が封止される。
【０１５２】
図８及び図９に示されるように、第１インク室１３１は、前壁１０１、右壁１５９、下壁１０５、後壁１１０、内壁７２、内壁７３、内壁７４、内壁７５、上壁１０４、内壁１５１、フィルム１４２、及びフィルム１４３によって区画されている。
【０１５３】
図１２（Ｂ）に示されるように、右壁１５９の左面１５９Ｌ及びフィルム１４２の左面１４２Ｌは、第１インク室１３１の右面を区画している。フィルム１４３の右面１４３Ｒは、第１インク室１３１の左面を区画している。左面１５９Ｌ、１４２Ｌと右面１４３Ｒとは、一対の第２面の一例である。左面１５９Ｌ、１４２Ｌと右面１４３Ｒとは、前壁１０１の後面１０１Ａから後方へ延出している。左面１５９Ｌ、１４２Ｌと右面１４３Ｒとは、左右方向９において互いに対向している。
【０１５４】
図９に示されるように、内壁７９の上端部は、左端から右方へ切り欠かれている。これにより、内壁７９の上端部には、開口１６３が形成されている。開口１６３は、内壁７９、内壁７５、及びフィルム１４３によって区画されている。内壁７９の下端部は、左端から右方へ切り欠かれている。これにより、内壁７９の下端部には、開口１６４が形成されている。開口１６４は、内壁７９、内壁７２、及びフィルム１４３によって区画されている。前インク室１３７と後インク室１３８とは、開口１６３、１６４によって連通している。
【０１５５】
内壁７２の前端部は、左端から右方へ切り欠かれている。これにより、内壁７２の前端部には、開口１６５が形成されている。開口１６５は、内壁７２、下壁１０５、及びフィルム１４３によって区画されている。第１インク室１３１の前インク室１３７と、第２インク室１３２の下インク室５１とは、開口１６５によって連通している。
【０１５６】
図８及び図１０に示されるように、第１連通路１７１及び第２連通路１７２は、内壁１６０よりも右方に位置している。図８〜図１１に示されるように、第３連通路１７３は、内壁１６０の右方及び内壁１６１の左方の双方に位置している。
【０１５７】
図９に示されるように、第１連通路１７１は、開口１６６を通じて第１貯留室１３１の前インク室１３７と連通している。開口１６６は、内壁７５の左前端部が左端から右方へ切り欠かれることによって形成されている。開口１６６は、内壁７５、内壁７４、及びフィルム１４３によって区画されている。
【０１５８】
第１連通路１７１は、開口１６６から後方へ延びており、次いで右方へ延びている。次いで、図８に示されるように、第１連通路１７１は後方へ延びており、次いでＵターンするように前方へ延びており、貫通孔１７５（図１０参照）へ至る。貫通孔１７５は、内壁１６０及び内壁１６１を左右方向９に貫通する孔であり、第１連通路１７１及び第２連通路１７２と第３連通路１７３とを接続している。
【０１５９】
図９に示されるように、第１連通路１７１における開口１６６から後方へ延びる部分は、上壁１０４、凹部１６２の側壁１６２Ａ、内壁７４、内壁７５、及びフィルム１４３によって区画されている。第１連通路１７１における右方へ延びる部分は、上壁１０４、凹部１６２の側壁１６２Ｂ、内壁７５、及び凸部１４４の前壁１４４Ａによって区画されている。図８に示されるように、第１連通路１７１における内壁７１よりも右方の部分は、内壁７１、内壁７３、内壁７５、内壁７６、内壁７７、及びフィルム１４２によって区画されている。
【０１６０】
図９に示されるように、フレーム１４１は、後壁１１０から後方へ突出した突出部１６７（液面検知部の一例）を備えている。突出部１６７は、後述する光学センサ９８に光を照射されることによって、使用姿勢のインクタンク１００のインク室１１１に貯留されたインクの液面の高さを検知する。突出部１６７は、直方体形状である。突出部１６７は内部空間１６７Ａを有しており、突出部１６７の前端及び後端は開放されている。突出部１６７の内部空間１６７Ａの前端は、第２インク室１３２の上インク室５２と連通している。つまり、内部空間１６７Ａは、第２インク室１３２に設けられている。突出部１６７の後端は開放されている。開放された突出部１６７の後端は、フィルム１３９が貼付されることによって閉塞されている。
【０１６１】
突出部１６７の内部空間１６７Ａの上端以下且つ下端以上の高さのインクタンク１００の水平断面において、当該水平断面を上方から視た場合の第２インク室１３２の断面積は、当該水平断面を上方から視た場合の第１インク室１３１の断面積よりも小さい。そして、突出部１６７の内部空間１６７Ａは、断面積が小さい第２インク室１３２と連通している。
【０１６２】
なお、本実施形態において、突出部１６７の内部空間１６７Ａは第２インク室１３２と連通していたが、内部空間１６７Ａは第１インク室１３１と連通していてもよい。つまり、内部空間１６７Ａは、第１インク室１３１に設けられていてもよい。この場合、突出部１６７は、例えば前壁１０１や左壁１０３から突出していてもよい。
【０１６３】
また、本実施形態において、突出部１６７は、インクタンク１００Ｂ、１００Ｙ、１００Ｃ、１００Ｍのうち、インクタンク１００Ｂのみに設けられている。しかし、突出部１６７は、インクタンク１００Ｂ、１００Ｙ、１００Ｃ、１００Ｍの少なくとも一つに設けられていてもよい。
【０１６４】
図１２（Ｂ）に示されるように、前壁１０１の後面１０１Ｂから後方へ延びる一対の第２面のうちの一方の、後面１０１Ｂの右端から後方への第１長さＬ１の領域は、フィルム１４２、１４３よりも剛性の高い右壁１５９である。当該領域の上下方向７の範囲は、インクタンク１００の筐体１４０の上端から下端までである。この右壁１５９が設けられている領域が第１領域である。なお、図１２（Ａ）及び図１２（Ｂ）の第１長さは何れもＬ１で表されているが、図１２（Ａ）の第１長さと図１２（Ｂ）の第１長さとは異なる長さであってもよい。
【０１６５】
一方、一対の第２面のうちの一方の右壁１５９よりも後方部分は、フィルム１４２で構成されている。また、一対の第２面のうちの他方は、フィルム１４３で構成されている。このフィルム１４２、１４３が設けられている領域が第２領域である。
【０１６６】
［光学センサ９８］
プリンタ部１１は、光学センサ９８を備えている。光学センサ９８は、筐体１４に取り付けられている。図９に破線で示されるように、光学センサ９８は、タンクセット９９が筐体１４の内部に据え置かれた状態において、インクタンク１００Ｂのフレーム１４１の突出部１６７の右方及び左方に位置している。
【０１６７】
光学センサ９８は、発光部９８Ａと受光部９８Ｂとを備えている。発光部９８Ａと受光部９８Ｂとは、左右方向９において突出部１６７を挟んで配置されている。発光部９８Ａは、突出部１６７の右方に位置している。受光部９８Ｂは、突出部１６７の左方に位置している。なお、発光部９８Ａと受光部９８Ｂとの配置位置は、左右逆であってもよい。
【０１６８】
発光部９８Ａにおける受光部９８Ｂへの光の照射位置と、受光部９８Ｂにおける発光部９８Ａからの光の受光位置とが、第２ライン１４７以下の高さとなるように、発光部９８Ａと受光部９８Ｂの上下方向７の配置位置が決定されている。本実施形態では、図１０に示されるように、光学センサ９８は、第２ライン１４７よりも下方に位置する。つまり、突出部１６７における光学センサ９８から照射された光の光路に相当する位置の高さは、図１０に示される破線よりも低い位置である。ここで、当該破線は、使用姿勢のインクタンクにインクの補充が必要となる最小貯留量であるインクの液面を示している。以上より、突出部１６７の上下方向７の位置は、第２ライン１４７よりも下方の位置を含む。
【０１６９】
光学センサ９８は、電気回路を介して複合機１０の制御部（不図示）に電気的に接続されている。
【０１７０】
発光部９８Ａから受光部９８Ｂへ向けて光が照射される。照射された光は、突出部１６７を透過して突出部１６７の内部空間１６７Ａへ進入する。内部空間１６７Ａに貯留されたインクの液面が光路よりも上方である場合、光は内部空間１６７Ａに貯留されたインクに遮られて受光部９８Ｂへ到達しない。これにより、光学センサ９８から制御部へローレベルの信号が出力される。一方、インクの液面が光路よりも下方である場合、光は内部空間１６７Ａにおいて空気中を進む。この場合、光は内部空間１６７Ａを通過して受光部９８Ｂへ到達する。これにより、光学センサ９８から制御部へハイレベルの信号が出力される。
【０１７１】
制御部は、光学センサ９８からの信号がローレベルである場合にインク室１１１に貯留されたインクの液面が第２ライン１４７よりも高いと判断し、光学センサ９８からの信号がハイレベルである場合にインク室１１１に貯留されたインクの液面が第２ライン１４７よりも低いと判断する。
【０１７２】
［注入口１１２］
図１（Ｂ）に示されるように、各インクタンク１００Ｂ、１００Ｙ、１００Ｃ、１００Ｍの傾斜壁１０６の各々には、インク室１１１の第１インク室１３１にインクを注入するための注入口１１２Ｂ、１１２Ｙ、１１２Ｃ、１１２Ｍ（これらの総称して「注入口１１２」と表記することがある。）が設けられている。図４及び図６に示されるように、注入口１１２（液体注入口の一例）は、傾斜壁１０６を厚み方向に貫通して、対応する第１インク室１３１をインクタンク１００の外部に連通させる。つまり、注入口１１２は、傾斜壁１０６の後面１０６Ｂに設けられている。傾斜壁１０６の内面は、第１インク室１３１の前インク室１３７に面している。傾斜壁１０６の外面は、インクタンク１００の外部に面している。したがって、注入口１１２は、第１インク室１３１とインクタンク１００の外部とを直接連通させる。つまり、本実施形態において、注入口１１２は、第１インク室１３１及び第２インク室１３２のうち突出部１６７が設けられていない方の第１インク室１３１に設けられている。なお、注入口１１２は、第２インク室１３２にインクを注入するためのものであってもよい。
【０１７３】
傾斜壁１０６及び傾斜壁１０６に設けられた注入口１１２は、カバー７０を開位置に位置させることによって、開口２２を通じて複合機１０の外部に露出する。注入口１１２を通じて第１インク室１３１にインクが注入される際のインクタンク１００の姿勢（注入姿勢）は、使用姿勢である。すなわち、インクタンク１００が使用姿勢にあるときに、注入口１１２を通じて第１インク室１３１にインクが注入される。つまり、使用姿勢は、注入姿勢の一例である。
【０１７４】
図６に示されるように、前後方向８における注入口１１２の長さＬ２は、第１領域の第１長さよりＬ１も短い。
【０１７５】
［キャップ１１３］
図１に示されるように、インクタンク１００は、注入口１１２を閉塞させるように傾斜壁１０６に対して着脱可能なキャップ１１３Ｂ、１１３Ｙ、１１３Ｃ、１１３Ｍを有する。キャップ１１３は、インクタンク１００の４つの注入口１１２Ｂ，１１２Ｙ，１１２Ｃ，１１２Ｍに対応して４つのキャップ１１３Ｂ、１１３Ｙ、１１３Ｃ、１１３Ｍがある。図１（Ａ）に示されるように、傾斜壁１０６に取り付けられたキャップ１１３は、注入口１１２の周縁を画定する壁面に密着して注入口１１２を閉塞させる。一方、図１（Ｂ）に示されるように、傾斜壁１０６から取り外されたキャップ１１３は、注入口１１２を開放する。キャップ１１３は、カバー７０を開位置に位置させた状態で、傾斜壁１０６に対して着脱される。また、キャップ１１３を注入口１１２から取り外すことによって、注入口１１２を通じてインク室１１１にインクが注入可能となる。
【０１７６】
［カバー７０］
図１に示されるように、カバー７０は、筐体１４の前壁１４Ａに形成された開口２２を開閉可能に設けられている。カバー７０は、左右方向９に沿って延びる回動軸７０Ａ周りに回動する。カバー７０は、開口２２に対応した大きさの外形であり、開口２２に向かって開口する箱形状である。カバー７０は、閉位置において、インクタンク１００の前壁１０１の立壁１０２及び傾斜壁１０６を覆う。カバー７０は、開位置において、インクタンク１００の前壁１０１の立壁１０２及び傾斜壁１０６を筐体１４の外部へ露出させる。
【０１７７】
［タンクセット９９の露出］
図１３は、タンクセット９９を模式的に示す斜視図である。図１３では、タンクセット９９が据え置かれている複合機１０の筐体１４は図示されていないが、筐体１４に対して外部に露出している部分が実線で示されており、外部に露出していない部分が破線で示されている。
【０１７８】
図１３に示されるように、タンクセット９９において、左右方向９に隣接した２つのインクタンク１００は、互いに他方のインクタンク１００に最も近い右面或いは左面で向かい合っている。例えば、インクタンク１００Ｂの左面はインクタンク１００Ｙの右面と向かい合っており、インクタンク１００Ｍの右面はインクタンク１００Ｃの左面と向かい合っている。更に、インクタンク１００Ｃの右面はインクタンク１００Ｙの左面と向かい合っている。
【０１７９】
よって、インクタンク１００Ｂ、１００Ｙ、１００Ｃ、１００Ｍの右面及び左面のうち、隣り合うインクタンク１００と対向する面は、外部に露出していない。具体的には、インクタンク１００Ｂの左面と、インクタンク１００Ｙ、１００Ｃの右面及び左面と、インクタンク１００Ｍの右面とは、外部に露出していない。
【０１８０】
一方、インクタンク１００Ｂ、１００Ｙ、１００Ｃ、１００Ｍの右面及び左面のうち、タンクセット９９における右端及び左端に対応する面は、その前部が外部に露出している。具体的には、図１に示されるように、インクタンク１００Ｂの右面及びインクタンク１００Ｍの左面の前部は、外部に露出している。
【０１８１】
図１３に示されるように、外部に露出しているのは、インクタンク１００Ｂの右壁１５９の一部（前部）、つまり第１領域の一部Ｒ１Ａ（図１３（Ａ）参照）と、インクタンク１００Ｍの左壁１０３の一部（前部）、つまり第１領域の一部Ｒ１Ｂ（図１３（Ｂ）参照）である。すなわち、４つのインクタンク１００Ｂ、１００Ｙ、１００Ｃ、１００Ｍのうち、右端側に位置するインクタンク１００Ｂと、左端側に位置するインクタンク１００Ｍとは、それぞれ最も外側の面（インクタンク１００Ｂの右面及びインクタンク１００Ｍの左面）に第１領域Ｒ１を備える。
【０１８２】
一方、インクタンク１００Ｂの右面における第１領域の一部Ｒ１Ａ、及びインクタンク１００Ｍの左面における第１領域の一部Ｒ１Ｂ以外は、外部に露出していない。換言すると、インクタンク１００Ｂの右面における第１領域のその他の部分Ｒ１Ｃ及び第２領域Ｒ２Ａ（図１３（Ａ）参照）と、インクタンク１００Ｍの左面における第１領域のその他の部分Ｒ１Ｄ及び第２領域Ｒ２Ｂ（図１３（Ｂ）参照）とは、外部に露出していない。具体的には、インクタンク１００Ｂの右壁１５９の後部及びフィルム１４２と、インクタンク１００Ｍの左壁１０３の後部及びフィルム１４３とは、外部に露出していない。これら外部に露出していない部分は、複合機１０の筐体１４（図１参照）によって覆われている。また、上述したように、インクタンク１００Ｂの左面と、インクタンク１００Ｙ、１００Ｃの右面及び左面と、インクタンク１００Ｍの右面とは、外部に露出していない。以上より、インクタンク１００の第２領域は、外部に露出していない。
【０１８３】
なお、図１３では、インクタンク１００Ｂの右壁１５９と、インクタンク１００Ｍの左壁１０３との一部（前部）のみが、外部に露出しているが、インクタンク１００Ｂの右壁１５９と、インクタンク１００Ｍの左壁１０３との全部が、外部に露出していてもよい。
【０１８４】
また、タンクセット９９において、隣り合う２つのインクタンク１００が互いに近接して配置されていない場合であっても、インクタンク１００Ｂの左面と、インクタンク１００Ｙ、１００Ｃの右面及び左面と、インクタンク１００Ｍの右面とは、外部に露出しないことが望ましい。この場合、インクタンク１００Ｂの左面と、インクタンク１００Ｙ、１００Ｃの右面及び左面と、インクタンク１００Ｍの右面とは、例えば複合機１０の筐体１４によって覆われていればよい。
【０１８５】
［実施形態の作用効果］
上記実施形態によれば、注入口１１２を有する前壁１０１の後面１０１Ｂが、フィルム１４２、１４３より剛性が高く且つ第１領域を構成する左壁１０３によって補強されている。これにより、インクタンク１００の強度を強くすることができる。
【０１８６】
また、上記実施形態によれば、一対の第２面のそれぞれの少なくとも一部がフィルム１４２、１４３で構成されることによって、インクタンク１００の大きさを大きくすることなく、インク室１１１に貯留されるインク量を増やすことができる。
【０１８７】
また、フィルム１４２、１４３が複合機１０の外部に露出した場合、フィルム１４２、１４３またはフィルム１４２、１４３が溶着された部分の壁がユーザーに触れられたり他の部材にぶつかったりすることによって、フィルム１４２、１４３が破れたり、フィルム１４２、１４３が壁から剥がれたりするおそれがある。フィルム１４２、１４３の破れや剥がれが生じると、インク室１１１に貯留されたインクが漏れ出てしまう。上記実施形態によれば、フィルム１４２、１４３で構成された第２領域は複合機１０の外部に露出していないため、上述したようなフィルム１４２、１４３の破れや剥がれが生じる可能性を低くすることができる。
【０１８８】
また、複数のインクタンク１００が左右方向９に沿って複数並んだ状態で複合機１０に据え置かれている場合、隣り合う２つのインクタンク１００に挟まれた部分は、複合機１０の外部に露出しない。一方、複数のインクタンク１００の右端側及び左端側に位置するインクタンク１００のそれぞれ最も外側の面（インクタンク１００Ｂの右面及びインクタンク１００Ｍの左面）は、複合機１０の外部に露出するおそれがある。上記実施形態では、複数のインクタンク１００のうち左右方向９の両端側に位置するインクタンク１００Ｂ、１００Ｍは、それぞれインクタンク１００Ｂの右面及びインクタンク１００Ｍの左面に第１領域を備える。つまり、複合機１０の外部に露出するおそれのある部分が、フィルム１４２、１４３より剛性の高い右壁１５９及び左壁１０３で構成されている。そのため、複数のインクタンク１００を適切に保護することができる。
【０１８９】
また、通常、注入口１１２を通じてインクが注入される際、ボトルの先端部が注入口１１２に当接する。これにより、注入口１１２が形成された前壁１０１が撓むおそれがある。上記実施形態によれば、前壁１０１のうち注入口１１２が形成されている部分は、右壁１５９または左壁１０３によって補強されている。これにより、注入口１１２にインクを注入する際に、前壁１０１が撓みにくくすることができる。
【０１９０】
また、上記実施形態によれば、注入口１１２は、斜め上方を向いている。そのため、注入口１１２にインクが注入される際に、インクが貯留されたボトルを注入口１１２に差し込みやすい。
【０１９１】
また、上記実施形態によれば、注入口１１２からインクタンク１００の内部を覗かなくても、インク室１１１内のインクの量を外部から判別可能である。
【０１９２】
また、上記実施形態によれば、立壁１０２にリブが設けられていないため、インク室１１１内のインクの量の外部からの判別が、リブによって阻害されることがない。
【０１９３】
［変形例］
上記実施形態では、注入口１１２は、各インクタンク１００に一つ設けられていたが、二つ以上設けられていてもよい。
【０１９４】
また、上記実施形態では、大気開放口１８７は、各インクタンク１００に一つ設けられていたが、二つ以上設けられていてもよい。
【０１９５】
また、上記実施形態では、インク室１１１内のインクが流出される開口１５８は、各インクタンク１００に一つ設けられていたが、二つ以上設けられていてもよい。
【０１９６】
また、上記実施形態では、第２インク室１３２がバッファ室１４８とインク流出路１１４とを備えていたが、第１インク室１３１がバッファ室１４８とインク流出路１１４とを備えていてもよい。この場合、バッファ室１４８は、第１インク室１３１とインク流出路１１４との間に介在している。また、第１インク室１３１及び第２インク室１３２の双方がバッファ室１４８とインク流出路１１４とを備えていてもよい。
【０１９７】
また、前述された実施形態では、インクを液体の一例として説明したが、本発明はこれに限定されない。すなわち、インクに代えて、印刷時にインクに先立って記録用紙に吐出される前処理液、或いは記録ヘッド３９のノズル４０の乾燥を防止するために記録ヘッド３９のノズル４０近傍に噴霧される水等が、液体の一例であってもよい。
【符号の説明】
【０１９８】
１０・・・複合機（液体消費装置）
３９・・・記録ヘッド（液体消費部）
１００・・・インクタンク（タンク）
１０１・・・前壁
１０１Ｂ・・・後面
１０３・・・左壁
１０３Ｒ・・・右面
１１１・・・インク室（液体貯留室）
１１２・・・注入口（液体注入口）
１４２・・・フィルム
１４２Ｌ・・・左面
１４３・・・フィルム
１４３Ｒ・・・右面
【図１】
2017177779.tif 000003
【図２】
2017177779.tif 000004
【図３】
2017177779.tif 000005
【図４】
2017177779.tif 000006
【図５】
2017177779.tif 000007
【図６】
2017177779.tif 000008
【図７】
2017177779.tif 000009
【図８】
2017177779.tif 000010
【図９】
2017177779.tif 000011
【図１０】
2017177779.tif 000012
【図１１】
2017177779.tif 000013
【図１２】
2017177779.tif 000014
【図１３】
2017177779.tif 000015